(57)【要約】  ソケットと、ソケットの開口部にスライド可能に受け入れられる本体部材と、を備え、ソケットまたは本体部材が、本体部材がスライド可能にソケットに受け入れられるときに、他方の部材に対して付勢を与えるための係合可能部材を有し、他方の部材が、本体部材がスライド可能にソケットに受け入れられるときに、係合可能部材を受け入れるための第１の長手方向に配置されたチャネルと、第１のチャネルと平行に配置されかつ第１のチャネルから離間した第２の長手方向のチャネルと、第１及び第２のチャネルを接続する横方向のチャネルと、を備え、第１のチャネルが、ロック領域で終端し、ロック領域が、第２チャネルのロック領域にすぐ隣接する第１のチャネルの深さよりも大きい深さを有するロック機構。
2011519135.tif 000002
【特許請求の範囲】
【請求項１】
ソケットと、
前記ソケットの開口部にスライド可能に受け入れられる本体部材と、
を備え、
前記ソケットまたは前記本体部材が、前記本体部材がスライド可能にソケットに受け入れられるときに、他方の部材に対して付勢を与えるための係合可能部材を有し、
前記他方の部材が、前記本体部材がスライド可能にソケットに受け入れられるときに、前記係合可能部材を受け入れるための第１の長手方向に配置されたチャネルと、前記第１のチャネルと平行に配置されかつ前記第１のチャネルから離間した第２の長手方向のチャネルと、前記第１及び第２のチャネルを接続する横方向のチャネルと、を備え、
前記第１のチャネルが、ロック領域で終端し、
前記ロック領域が、当該ロック領域にすぐ隣接する前記第１のチャネルの深さよりも大きい深さを有し、
前記ロック領域が、前記横方向のチャネルと接触し、
前記係合可能部材が前記第１のチャネルに受け入れられかつ前記本体部材を前記ソケットに挿入するために前記第１のチャネル内で第１の運動によってスライド可能である状態で、前記本体部材が前記ソケットにスライド可能に受け入れられるときに、前記係合可能部材が、当該係合可能部材が前記ロック領域に受け入れられると前記第１のチャネル内のさらなるスライド可能な運動を防止され、
前記係合可能部材が、前記ロック領域へ付勢され、前記ロック領域から係合解除されることを防止され、これにより、前記本体部材を前記ソケットにロックし、
さらに、前記本体部材を前記ソケット内で回転し、前記係合可能部材が前記第２のチャネルと位置合わせするまで前記係合可能部材を前記横方向のチャネルへ移動させることによって、前記係合可能部材が前記ロック領域にあるときに、前記本体部材が、前記ソケットから取り外し可能であり、これにより、前記係合可能部材が前記第２のチャネルを通過しかつ前記第２のチャネルから出る状態で、前記第１の運動とは逆の逆スライド可能な運動によって、前記本体部材が前記ソケットから引き出されることを可能とすることを特徴とするロック機構。
【請求項２】
前記第１のチャネルが、前記ロック領域に向けて傾斜して前記本体部材を前記ソケットに挿入するにしたがって前記係合可能部材に対する付勢を増大させて与える第１の傾斜面を有し、
前記横方向のチャネルが、前記第２のチャネルへ前記係合可能部材に対する付勢を増大させて与える横方向の傾斜面を有し、
前記第２のチャネルが、前記本体部材が前記ソケットからスライド可能に引き出されるにしたがって前記係合可能部材に対する付勢を増大して与える第２の傾斜面を有することを特徴とする請求項１に記載のロック機構。
【請求項３】
前記ソケットが、パネル開口部に受け入れられることが可能であり、前記ソケットに受け入れられて前記ソケットを前記パネル開口部に受け入れると、外方に付勢される径方向外側に移動可能な突出部を有することを特徴とする請求項２に記載のロック機構。
【請求項４】
第２の係合可能部材を受け入れるための第１のチャネル、横方向のチャネル及び第２のチャネルを備える第２のチャネル組が設けられていることを特徴とする請求項２に記載のロック機構。
【請求項５】
前記第２の係合可能部材と前記第２のチャネル組とが、第１の係合可能部材と第１のチャネル組と異なる幅を有し、
前記本体部材が、前記ソケットの１つのみの位置付けで受け入れられることを特徴とする請求項４に記載のロック機構。
【請求項６】
前記第１及び第２のチャネル組が、互いに所定角で配置されていることを特徴とする請求項５に記載のロック機構。
【請求項７】
前記所定角が、１８０°であり、
前記第１及び第２のチャネル組が、互いに反対側にあることを特徴とする請求項７に記載のロック機構。
【請求項８】
前記パネル開口部が、前記ソケットにあるキー部材を受け入れるためのキー部を有し、当該パネル開口部内の１つの位置付けで前記ソケットをロックすることを特徴とする請求項３に記載のロック機構。
【請求項９】
前記係合可能部材が、当該係合可能部材を受け容れるチャネルに対して付勢を与える弾性部材であることを特徴とする請求項１に記載のロック機構。
【請求項１０】
前記本体部材が、第１のチャネル組を有し、
前記ソケットが、前記係合可能部材を有することを特徴とする請求項１に記載のロック機構。
【請求項１１】
前記ロック領域が、前記本体部材にあり、前記ロック部材にある開口部を備え、
前記係合可能部材が、前記ロック領域内にスナップ係合することを盗聴とする請求項１０に記載のロック機構。
【請求項１２】
前記本体部材が、時計回りで前記横方向のチャネルへ回転可能であることを特徴とする請求項１に記載のロック機構。
【請求項１３】
前記本体部材が、反時計回りで前記横方向のチャネルへ回転可能であることを特徴とする請求項１に記載のロック機構。
【請求項１４】
前記ソケットが、プラスチック材料であり、
前記係合可能部材が、前記ソケットの一体的な可撓性を有する腕部に形成された突出部を備え、
前記突出部が、径方向内方に向けられ、当該突出部を受け入れる前記本体部材のチャネルに対して付勢を与えることを特徴とする請求項１０に記載のロック機構。
【請求項１５】
前記本体部材及び前記ソケットが、相互接続する開放可能な電気コネクタであることを特徴とする請求項１に記載のロック機構。
【請求項１６】
前記第１のチャネルが、前記係合可能部材との初期的な位置合わせを可能とする長さを有し、前記ソケットとの前記本体部材の単一の位置付けを可能とすることを特徴とする請求項１に記載のロック機構。
【請求項１７】
前記第２のチャネルが、前記第１のチャネルの長さよりも短い長さを有することを特徴とする請求項１６に記載のロック機構。
【発明の詳細な説明】
【技術分野】
【０００１】
本発明は、プラグ及びコネクタ、特に、ソケットまたはジャックに差込式デバイスをロックするためのロック機構に関する。本発明は、例えば電気接続を形成しかつロックするための接続デバイスを含むさまざまなタイプの接続デバイスに適用可能である。しかしながら、本発明は、電気コネクタに限定されず、さまざまなタイプのコネクタ及びロック機構に使用されてもよい。
【背景技術】
【０００２】
電気コネクタに使用される一般的なロック機構は、バイオネットソケットである。バイオネットソケットにおいて、ソケットに受けられる差込式デバイスは、ソケットの長手方向に方向付けられたスロットに受けられる２つの径方向に突出したピンを有する。差込式デバイスは、ソケットの長手方向チャネルと位置合わせされており、デバイスは、ピンが長手方向チャネルに到達するまで押し込まれる。この点において、差込式デバイスは、回転され、突出ピンは、長手方向チャネルそれぞれと接触するソケットに位置する横方向に配置されたチャネル内を移動する。横方向に配置されたチャネルは、移動止め位置を有し、差込式デバイスのピンをスプリングの付勢に抗してソケット内の所定位置に固定する。
【０００３】
バイオネットソケットから差込式デバイスを取り外すため、差込式デバイスは、逆方向に回転されなければならず、そして、長手方向チャネルからデバイスを引き戻すことによって取り外される。
【０００４】
バイオネットソケットは、周知であるが、差込式デバイスをソケットに固定するために押して捩る動作を必要とする。
【発明の概要】
【発明が解決しようとする課題】
【０００５】
望ましいことは、差込式デバイスの固定を得るためのより単純な操作を有し、さらに差込式デバイスをロック解除して差込式デバイスをソケットから取り外すための単純な操作を採用した改良型ロック機構を提供することである。
【０００６】
本発明の目的は、使用が単純でありかつ比較的単純な構造からなり、そして取り外すための単純な機構を提供するロック機構を提供することである。
【課題を解決するための手段】
【０００７】
上述及び他の目的は、ロック機構によって達成され、このロック機構は、ソケットと、ソケットの開口部にスライド可能に受け入れられる本体部材と、を備え、ソケットまたは本体部材が、本体部材がスライド可能にソケットに受け入れられるときに、他方の部材に対して付勢を与えるための係合可能部材を有し、他方の部材が、本体部材がスライド可能にソケットに受け入れられるときに、係合可能部材を受け入れるための第１の長手方向に配置されたチャネルと、第１のチャネルと平行に配置されかつ第１のチャネルから離間した第２の長手方向のチャネルと、第１及び第２のチャネルを接続する横方向のチャネルと、を備え、上記第１のチャネルが、ロック領域で終端し、ロック領域が、ロック領域にすぐ隣接する上記第１のチャネルの深さよりも大きい深さを有し、上記ロック領域が、上記横方向のチャネルと接触し、上記係合可能部材が上記第１のチャネルに受け入れられかつ本体部材をソケットに挿入するために上記第１のチャネル内で第１の運動によってスライド可能である状態で、上記本体部材が上記ソケットにスライド可能に受け入れられるときに、上記係合可能部材が、係合可能部材が上記ロック領域に受け入れられると上記第１のチャネル内のさらなるスライド可能な運動を防止され、上記係合可能部材が、上記ロック領域へ付勢され、上記ロック領域から係合解除されることを防止され、これにより、上記本体部材を上記ソケットにロックする。
【０００８】
本発明は、上記本体部材を上記ソケット内で回転し、上記係合可能部材が上記第２のチャネルと位置合わせするまで上記係合可能部材を横方向のチャネルへ移動させることによって、上記係合可能部材が上記ロック領域にあるときに、上記本体部材が、上記ソケットから取り外し可能であり、これにより、上記係合可能部材が上記第２のチャネルを通過しかつ上記第２のチャネルから出る状態で、上記第１の運動とは逆の逆スライド可能な運動によって、上記本体部材が上記ソケットから引き出されることを可能とするように、さらに実施可能である。
【０００９】
本発明の他の特徴及び有利点は、添付の図面を参照する本発明の以下の説明から明らかになる。
【００１０】
ここで、本発明は、添付の図面を参照しながら以下の詳細な説明においてより詳細に説明される。
【図面の簡単な説明】
【００１１】
【図１】本発明における差込式デバイスを示す図である。
【図２】差込式デバイスのためのソケットを示す図である。
【図３】ソケットを収容するパネルにある開口部を示す図である。
【図４】図１の差込式デバイスのＸ−Ｘ線に沿う部分断面底面図である。
【発明を実施するための形態】
【００１２】
ここで、図面を参照すると、本発明は、パネル２１にある取付穴部２０に受けられる図２に示すような取付リングまたはソケット１０と、図示しない電気的接続部を有する差込式デバイス３０と、を備え、この差込式デバイスは、ソケット１０にあるまたはソケット１０に近接して位置するデバイスにある同様に図示しない電気的接続部と係合する。
【００１３】
取付リングまたはソケット１０は、ロックタブ１４を有する湾曲部１２を有する。取付リングまたはソケットは、任意の適切な材料で形成されてもよいが、１つの適切な材料は、湾曲部１２が一体的に形成されたプラスチック材料であってもよい。また、取付リング１０は、径方向外方に突出するパネル取付タブ１６を有する。ロックタブ１４は、径方向内方に突出する。
【００１４】
取付リング１０は、外径Ｂ’を有しており、この外径Ｂ’は、パネルにある取付穴部２０の直径Ｃ（図３）に受けられる。したがって、取付リング１０は、まずパネルの取付穴部２０に挿入される。取付穴部２０は、取付リング１０の突出部（図示略）を受けるように構成されたキー機構部２２を有しており、取付リング１０を単一の位置付けのみで穴部２０に入れることを可能とし、取付リング１０の回転を防止する。
【００１５】
取付タブ１６は、取付リングを取付穴部２０に挿入すると径方向内方に曲がるように設計されており、また、好ましくは、取付リング１０に一体的に形成されている。
【００１６】
差込デバイス本体部３０（図１）は、外径Ａを有しており、取付リング襟部１１に当接するための肩部３２を有する。差込式本体部３０は、取付リング１０の内径Ｂ内に収容される。本体部３０は、第１の長手方向に配置されたチャネルＤを有しており、このチャネルは、ロック窓部Ｅで終端する上向きに傾斜した傾斜面を有する。傾斜スロットＤは、ロックタブ１４を受け入れるように設計されている。
【００１７】
本体部３０は、ロック窓部Ｅと位置合わせされた横方向の係合解除スロットＦをさらに有する。係合解除スロットＦは、断面において図４に示すように、傾斜形状を有しており、傾斜スロットＤと平行に配置されかつ傾斜スロットＤから間隔をあけた第２の長手方向スロットＧで終端している。スロットＧは、傾斜スロットＤとは逆方向で上向きに傾斜している。
【００１８】
スロットＤは、タブ１４がロック窓部Ｅに向けてスロットＤに沿って乗るにしたがってタブ１４に対して増大した付勢を提供するように傾斜している。スロットＧは、タブが横方向チャネルＦから離間してスライドするにしたがってタブ１４に対して付勢を増大してもたらすように傾斜している。
【００１９】
さらに、１組の傾斜スロットのみを示しているが、２組を好ましくは採用する。他のスロット組は、好ましくは、本体部３０の１８０°反対側に位置しており、図示されていない。
【００２０】
さらに、図示された実施形態は、本体部３０にあるチャネルＤ、Ｅ及びＦを備えるチャネル組と、取付リング１０にある湾曲部１２及びタブ１４と、を有する。この構成は、チャネル組が取付リング１０にありかつ湾曲部１２及びタブ１４が本体部３０にあるように容易に逆にされてもよい。この代替の構成は、本発明によって包含されている。
【００２１】
本体部３０を取付リング１０に挿入するため、本体部３０にある１以上のチャネルＤは、ロックタブ１４と位置合わせされる。そして、本体部３０は、押し込まれ、ロックタブ１４がスロットＤの傾斜を上方に移動してこれにより径方向外側に湾曲する。本体部３０を唯一の位置付けで挿入することを確実にするため、一方のロックタブ１４の幅を狭くしかつ１つの幅を広くし、同様に、一方の傾斜スロットＤの幅を狭くし１つの幅を広くしてもよい。このため、本体部３０は、１つの位置付けでのみ挿入される。さらに、リング１０に本体部３０を位置合わせすることを可能とするため、スロットＤは、本体部３０の底面３３まで延在する。
【００２２】
ロックタブ１４がスロットＤを上がって移動するにしたがって、タブ１４は、径方向外側に湾曲する。パネルロックタブ１６は、同様に、本体部３０の外径Ａによって径方向外側に押圧され、したがって、取付リング１０をパネルに固定する。
【００２３】
本体部３０をリング１０と完全に係合すると、湾曲部１２のロックタブ１４は、窓部Ｅと係合し、径方向内方に湾曲し、したがって、本体部を取付リングに固定する。タブ１４は、好ましくは、「スナップ嵌合」でロック窓部Ｅと係合する。
【００２４】
図示のように、本体部３０は、単純な押し込み操作によって取付リングに固定される。本体部３０を所定位置に固定するために本体部３０を回転させる必要がない。本体部３０は、取付パネルに完全に挿入されており、ロック窓部Ｅにタブ１４がスナップ嵌合しているため、単一の引き出し操作によって取り外されない。ソケット１０が電気接続部を有する場合、これら電気接続部は、本体部３０の電気接点と電気的に接触する。しかしながら、本体部３０及びソケット１０は、電気接点を有する必要がなく、開示されたロック機構は、機械的ロックデバイスのみとして採用されてもよい。
【００２５】
本体部３０を取付リング１０にロックすると、タブ１４は、ロック窓部Ｅに配置され、引き出しによる取り外しを防止する。本体部３０を取付リング１０から取り外すため、本体部を回転しなければならない。図示の実施形態において、本体部は、時計回りに回転され、ロックタブ１４は、係合解除スロットＦの傾斜に沿って横方向の係合解除スロットＦへ、そして長手方向スロットＧに移動する。本体部３０のさらなる回転は、スロットＧの壁部３４によって防止される。これは、本体部を余計に回転することを防止する。ここで、タブ１４は、傾斜スロットＧに位置合わせされており、本体部は、ソケット１０から引き出される。本体部をソケット１０から引き出すと、タブ１４は、スロットの端部に到達するまで、上向きに傾斜したスロットＧにおいて外方に湾曲する。ソケット１０を取付穴部２０から取り外すと、タブ１６がここで径方向内方に湾曲されるので、いったん本体部３０を取付リングから取り外すと、取付リング１０は、必要に応じて、パネルから取り外される。
【００２６】
本体部３０を最初からリング１０に挿入していると、スロットＧが取付リング１０と本体部３０を位置合わせすることに用いられないので、スロットＧは、好ましくは底面３３より前で終端する。
【００２７】
本体部３０は、差込口(receptacle)３６を示している。この差込口は、電気接続部のためである。また、差込口は、ソケットから本体部を容易に取り外すことを可能とするためのツールのために形成されてもよい。例えば、ツールは、ドライバーまたはフック状デバイスであってもよい。
【００２８】
本発明が本発明の特定の実施形態に関連して説明されているが、さまざまな他の変形及び改良並びに他の用途は、当業者に明らかである。したがって、本発明は、本明細書における具体的な開示によってではなく添付の特許請求の範囲によって限定されるべきである。
【符号の説明】
【００２９】
１０  取付リング，ソケット，リング、１２  湾曲部（腕部）、１４  ロックタブ，タブ（突出部）、１６  パネルロックタブ，パネル取付タブ，取付タブ，タブ（キー部材）、２０  取付穴部，穴部、２１  パネル、２２  キー機構部（キー部）、３０  差込デバイス本体部，差込式デバイス，差込式本体部，本体部（本体部材）、Ｄ  傾斜スロット，チャネル，スロット（第１のチャネル）、Ｅ  ロック窓部，窓部（ロック領域）、Ｆ  横方向チャネル，係合解除スロット（横方向のチャネル）、Ｇ  スロット，傾斜スロット，長手方向スロット（第２のチャネル）
【図１】
2011519135.tif 000003
【図２】
2011519135.tif 000004
【図３】
2011519135.tif 000005
【図４】
2011519135.tif 000006
【国際調査報告】
2011519135.tif 000007